(57)【要約】      （修正有）【課題】常人はもとより幼児、老人又は目や片手の不自由な身体障害者も、日常的に行う、入浴、洗顔又は手洗い等の時不自由なく自己で容易に石鹸洗いが出来るものであり、又使用して小さく薄くなったり、崩れてしまった石鹸もソフトケースの中に挿入することにより最後迄使用出来る節約に役立つものを提供しようとするものである。【解決手段】石鹸発泡ソフトケース本体―（１）の切り込み口―（２）より固形石鹸又は粉状石鹸を挿入しておき水又は湯で濡らしこれで洗浄する個所を擦ると泡が発生し石鹸洗いが出来る、構造が単純であり取り扱いが容易である上に石鹸をタオル、ブラシ、手にすり込む手間と石鹸箱からの取り出しや収納の手間が省ける。【選択図】図１
0003116764.tif 000002
【実用新案登録請求の範囲】
【請求項１】
スポンジ（ゴム又は合成樹脂を海綿状に加工した物）を本体とし、この中に固形、又は粉状石鹸を挿入し発泡を促すよう構成された石鹸発泡ソフトケース。
【考案の詳細な説明】
【考案の詳細な説明】
【０００１】［考案の属する技術分野］
本考案は、入浴及び洗顔、手洗いに石鹸をタオルや手にすり付けた上で身体又は、顔、手を洗浄するが、これは石鹸をすり付ける必要無くソフトケースその物で洗浄する事のできる石鹸発泡ソフトケースに関するものである。
【０００２】［従来の技術］
従来、石鹸を使用し身体、顔、手等を洗浄する時には石鹸箱より石鹸を取り出しタオルやブラシ又は手に石鹸をすり付けた後に洗っていたが、幼児や老人、目及び片手の不自由な人には困難な作業であり介添が必要であった。
【０００３】［考案が解決しょうとする課題］
石鹸箱から石鹸を取り出し再び箱に収納する手間を無くす。
【０００４】  タオルやブラシ又は手に石鹸をすり付ける手間を無くし、また本体（スポンジ）の目の細かさに合わせた粒子の小さな泡が大量に発生し洗浄力を増す。
【０００５】  目や片手の不自由な人、老人、幼い子供、でも容易に石鹸を使用し身体や手を洗う事が出来る。
【０００６】  使用して小さく薄くなったり崩れて小片となった石鹸をこの石鹸発泡ソフトケースの中に挿入する事により無駄なく最後まで使えるようになる。
【０００７】  本考案は従来の有するこのような問題点に鑑みてなされたものでありその目的とするところは、日常的に行はれる入浴や洗顔等に使用される石鹸を便利でかつ経済的である石鹸発泡ソフトケースを提供しようとするものである。
【０００８】［課題を解決するための手段］
上記目的を達成するために本考案における、石鹸発泡ソフトケースは、スポンジ（海綿状）の本体の中に固形又は粉状石鹸を挿入した構成であり、この石鹸発泡ソフトケースを水又は湯に浸した後に身体や手を洗えば、スポンジ本体の中より粒子の小さな石鹸の泡が大量に発生し、容易に洗浄部を洗う事が出来る。
【０００９】［考案の効果］
本考案は、上述の通りに構成されているので、次に記載する効果を奏する。
【００１０】  構造が簡単であり、取り扱いが容易である為に幼児又は目や片手が不自由な人でも使用可能である。
タオルや手等に石鹸をすり付ける必要が無く、ソフトケースその物で洗う事が出来るので手間が省ける。
粒子の小さな泡が大量に発生するので洗浄力が増大する。
【００１１】［考案の実施の形態］
本考案の、石鹸発泡ソフトケースは、全ての人が日常的に行う入浴や洗顔、手洗いに使用出来るのはもとより上述の通り幼児や身体障害者も便利に利用出来るものである。
【００１２】［実施例］
実施例については図面を参照して説明する。
図１のスポンジ本体―１の上面に有する切り込み部―２より固形石鹸又は粉状石鹸を挿入し、水又は湯に浸し使用する。
【図面の簡単な説明】［図１］
本  石鹸発泡ソフトケースの外観図である。
【符号の説明】
１      本体
２      切り込み
【図１】
0003116764.tif 000003
【手続補正書】
【提出日】平成17年7月1日(2005.7.1)
【手続補正１】
【補正対象書類名】実用新案登録請求の範囲
【補正対象項目名】全文
【補正方法】変更
【補正の内容】
【実用新案登録請求の範囲】
【請求項１】
スポンジ状の本体に固形又は粉石鹸を挿入し、石鹸とスポンジを一体構造としたスポンジ石鹸であって、
スポンジの網目構造の細孔径が０．０５ｍｍ〜５ｍｍの物と石鹸を組合わせた身体洗浄用のスポンジ石鹸。
【手続補正２】
【補正対象書類名】明細書
【補正対象項目名】全文
【補正方法】変更
【補正の内容】
【考案の詳細な説明】
【技術分野】本考案は、入浴時及び洗顔等の際独自で石鹸洗浄が出来ない身体障害者や幼児などが石鹸による洗浄に利用可能なスポンジ石鹸に関するものである。【０００１】
【背景技術】  従来、入浴時に身体を石鹸で洗浄しょうとする場合石鹸を取り出しタオル、ブラシ等に石鹸を塗付してから洗浄する為に老人及び目や手の不自由な人や幼児には介添えが必要であった。【０００２】
【考案が解決しょうとする課題】
タオルやブラシ又は手に石鹸を塗付する必要をなくす。
【０００３】  目や片手の不自由な人、老人、幼児に介添えが無く石鹸で身体を洗浄出来るようにする。
【０００４】  入浴時にボデー洗浄用タオル、ブラシ、スポンジの内の一と石鹸を準備しなければならないが本考案のスポンジ石鹸はこれ一つだけで良い。
【０００５】  本考案は従来のこのような問題点に鑑みてなされたものでありその目的とするところは、入浴時の身体洗浄には石鹸とボデーブラシ等の一対を準備する必要があったが石鹸とスポンジが一体となったもので、身体洗浄が可能であるスポンジ石鹸を提供しょうとするものである。
【０００６】
【課題を解決するための手段】
上記目的を達成するために本考案におけるスポンジ石鹸は、スポンジの上面を切り込みポケットを設けそこに石鹸を挿入しスポンジと石鹸を一体構造したもので身体の洗浄が可能であって、
本体スポンジの網目構造の細孔径が０．００５ｍｍ〜５．００ｍｍのスポンジを使用する。
【０００７】  上記目的を達成するために本考案におけるスポンジ石鹸の本体はスポンジであり、図１に示すように本体の上面部に石鹸挿入用のポケットを設けた単純な形状である。
【０００８】  そして上記考案は図１の２に示すようにポケットから石鹸が脱落するのを防ぐ為に脱落防止蓋を持った構造を有するものである。
【０００９】
【考案の効果】
本考案は、上述通り構成されているので、次に記載する効果を奏する。
【００１０】  取り扱いが簡単であり老人、幼児、身体障害者でも容易に身体の洗浄が出来る。
【００１１】  タオル、ボデーブラシ等のように石鹸を塗付する事なくスポンジ石鹸その物で石鹸洗いが出来て手間が省ける。
【００１２】  スポンジの網目構造の細孔径を換える事により石鹸の泡の粒子が異なり洗顔用やボデー用に別けることが出来る。
【００１２】
【考案を実施するための最良の形態】  本考案の、スポンジ石鹸は、全ての人が日常的に行う入浴、洗顔、手洗い等に使用出来るのはもとより上述の通り老人、幼児、身体障害者なども使用可能である。【００１３】
【実施例】  実施例については図面を参照して説明する。
図１の１本体スポンジに設けられたポケット２に石鹸を挿入し、石鹸脱落防止蓋い３を９０度折り曲げマジックテープ４を本体側マジックテープ４’と密着させ蓋をした後に湯又は水に浸し洗浄個所を擦れば粒子の小さな石鹸の泡が発生し完全に洗浄される。【００１４】  一回石鹸を挿入した後は石鹸が消耗するまでの間数回使用可能で石鹸が消耗した場合図１の石鹸脱落防止蓋い３を開き新しい石鹸を補充する事により、再び使用出来る。【００１５】
【図面の簡単な説明】
【図１】  本スポンジ石鹸の全体図である。
【符号の説明】
１  スポンジ本体
２  石鹸挿入ポケット
３  石鹸脱落防止蓋い
４  マジックテープ
４’  マジックテープ
【手続補正３】
【補正対象書類名】図面
【補正対象項目名】全図
【補正方法】変更
【補正の内容】
【図１】
0003116764.tif 000004